(57)【要約】【課題】イメージスキャナで読み取った画像をＨＴＭＬ形式で保存することにより、専用ソフトでなくｗｅｂブラウザで画像を閲覧することが出来、ＰＣの機種・ＯＳソフトを選ばなくなり、一覧性もよくなる。【解決手段】原稿を読み取ることのできる画像読取手順と、読み取った画像や制御信号などを情報処理端末と入出力するインターフェース手段と、をもつ画像読取装置と、画像読取装置へ画像の読み取りを指示する、読取指示手順と、画像読取装置から画像などのデータを入力する入力手順と、前記入力手順からの受信画像を汎用的な形式に変換し保存する画像保存手順と、前記受信画像についての情報と前記受信画像の保存場所等を関連づけからなるＨＴＭＬ形式で以上の手順が記録されていることを特徴とする可読記憶媒体と、からなる画像処理システム。【選択図】        図１
2004171178.tif 000002
【特許請求の範囲】
【請求項１】
原稿を読み取ることのできる画像読取手段と、
読み取った画像や制御信号などを情報処理端末と入出力するインターフェース手段と、
をもつ画像読取装置と、
画像読取装置へ画像の読み取りを指示する、読取指示手順と、
画像読取装置から画像などのデータを入力する入力手順と、
前記入力手順からの受信画像を汎用的な形式に変換し保存する画像保存手順と、
前記受信画像についての情報と前記受信画像の保存場所等を関連づけからなるインターネットで流通可能で汎用的な形式で作成し保存するテキスト保存手順の、
以上の手順が記録されていることを特徴とする可読記憶媒体と、
からなり、読み取った画像を汎用的な形で、統合管理することを特徴とする画像処理システム。
【請求項２】
原稿を読み取ることのできる画像読取手段と、
読み取った画像や制御信号などを情報処理端末と入出力するインターフェース手段と、
をもつ画像読取装置と、
画像読取装置へ画像の読み取りを指示する、読取指示手順と、
画像読み取り装置からのデータを入力する入力手順と、
前記入力手順による受信画像から文字情報と画像の情報とそれらのレイアウト情報を抽出するＯＣＲ手順と
前記ＯＣＲ手順により抽出された画像を汎用的な形式に変換し保存する画像保存手順と、
前記ＯＣＲ手順により抽出された文字情報と画像の保存された場所情報とそれらのレイアウト情報をインターネットで流通可能で汎用的な形式で作成し保存するレイアウトテキスト保存手順と、
前記受信画像からのレイアウトからなるテキストについての情報とレイアウトからなるテキストの保存場所等を関連づけからなるインターネットで流通可能で汎用的な形式で作成し保存するテキスト保存手順の、
以上の手順が記録されていることを特徴とする可読記憶媒体と、
からなり、読み取った画像を汎用的な形で、統合管理することを特徴とする画像処理システム。
【請求項３】
原稿を読み取ることのできる画像読取装置へ画像の読み取りを指示する、読取指示手順と、
前記画像読取装置から画像などのデータを入力する入力手順と、
前記入力手順からの受信画像を汎用的な形式に変換し保存する画像保存手順と、
前記受信画像についての情報と前記受信画像の保存場所等を関連づけからなるインターネットで流通可能で汎用的な形式で作成し保存するテキスト保存手順の、
以上の手順が記録されていることを特徴とする可読記憶媒体。
【請求項４】
原稿を読み取ることのできる画像読取装置へ画像の読み取りを指示する、読取指示手順と、
画像読取装置へ画像の読み取りを指示する、読取指示手順と、
画像読み取り装置からのデータを入力する入力手順と、
前記入力手順による受信画像から文字情報と画像の情報とそれらのレイアウト情報を抽出するＯＣＲ手順と
前記ＯＣＲ手順により抽出された画像を汎用的な形式に変換し保存する画像保存手順と、
前記ＯＣＲ手順により抽出された文字情報と画像の保存された場所情報とそれらのレイアウト情報をインターネットで流通可能で汎用的な形式で作成し保存するレイアウトテキスト保存手順と、
前記受信画像からのレイアウトからなるテキストについての情報とレイアウトからなるテキストの保存場所等を関連づけからなるインターネットで流通可能で汎用的な形式で作成し保存するテキスト保存手順の、
以上の手順が記録されていることを特徴とする可読記憶媒体と、
【請求項５】
テキスト保存手順において、過去に１回以上スキャンしたことがあれば、過去のスキャン情報を持つテキストに今回のスキャン結果を追加して保存し、もし１回もスキャンしたことがなければスキャン情報の雛形を用意することができることを特徴とする請求項１又は請求項２又は請求項３又は請求項４記載の画像処理システム。
【請求項６】
画像読取装置側から読取指示手順を起動し、読み取り動作を開始させられることを特徴とする請求項１又は請求項２又は請求項３又は請求項４又は請求項５記載の画像処理システム。
【請求項７】
画像保存手順において従来画像保存形式のみしか選択できなかったが、ｈｔｍｌ形式などのインターネットで流通可能で汎用的な形式を選択できることを特徴とする請求項１又は請求項２又は請求項３又は請求項４又は請求項５又は請求項６記載の画像処理システム。
【請求項８】
画像保存手順において読取指示手順のＧＵＩを省略する簡易スキャンにおいては自動的にｈｔｍｌ形式などのインターネットで流通可能で汎用的な形式を選択されることを特徴とする請求項１又は請求項２又は請求項３又は請求項４又は請求項５又は請求項６又は請求項７記載の画像処理システム。
【請求項９】
画像保存手順においてｈｔｍｌ形式などのインターネットで流通可能で汎用的な形式で保存する際にファイル名を日付と時間から生成される文字列を用いることを特徴とする請求項１又は請求項２又は請求項３又は請求項４又は請求項５又は請求項６又は請求項７又は請求項８記載の画像処理システム。
【請求項１０】
画像保存手順においてｈｔｍｌ形式などのインターネットで流通可能で汎用的な形式で保存する際にファイル名に数字を用い、前回保存したファイル名に連続した数字からなる文字列を用いることを特徴とする請求項１又は請求項２又は請求項３又は請求項４又は請求項５又は請求項６又は請求項７又は請求項８又は請求項９記載の画像処理システム。
【請求項１１】
テキスト保存手順において、画像保存手順で保存した受信画像にたいする関連付けをユーザに参照させる文字列か、文字列の見出しに、画像を読み取った色数や解像度や読み取りサイズなどの設定から生成される文字列を用いることを特徴とする請求項１又は請求項２又は請求項３又は請求項４又は請求項５又は請求項６又は請求項７又は請求項８又は請求項９又は請求項１０記載の画像処理システム。
【請求項１２】
読取指示手順において、画像保存手順に渡す読み取りの前に、荒い解像度で事前に画像を読み取る機能を持つとき、この画像をテキスト保存手順で画像への関連づけをユーザに参照させる文字列とともに表示することを特徴とする請求項１又は請求項２又は請求項３又は請求項４又は請求項５又は請求項６又は請求項７又は請求項８又は請求項９又は請求項１０又は請求項１１記載の画像処理システム。
【請求項１３】
テキスト保存手順において、画像保存手段で保存した受信画像にたいする関連付けをユーザに参照させる対象か、対象の見出しに参照先の画像を縮小したものを用いることを特徴とする請求項１又は請求項２又は請求項３又は請求項４又は請求項５又は請求項６又は請求項７又は請求項８又は請求項９又は請求項１０又は請求項１１又は請求項１２記載の画像処理システム。
【発明の詳細な説明】
【０００１】
【発明の属する技術分野】
本発明は画像データを扱う画像処理装置と接続されたデータ処理装置、該画像処理装置とデータ処理装置とを有するデータ処理システムにおけるデータ処理方法及びコンピュータ可読規則媒体に関する。
【０００２】
【従来の技術】
パーソナルコンピュータ（以下、ＰＣ）で画像を扱うために、画像読み取り装置で文字や画像を印刷された媒体から画像を読み取り、その画像データをＰＣに入力することが行われている。
【０００３】
読み取った画像は、ＰＣ上の画像を扱うアプリケーションに渡され、ユーザによって読み取るごとに名前を付けて保存したり、読み取った画像をアプリケーションを介さず直接名前を付けて保存したりする事によって、ＰＣ上で画像を扱っている。
【０００４】
【発明が解決しようとする課題】
読み取った画像は、読み取るたびにユーザがＰＣ内のハードディスクドライブやフォルダを指定し、それぞれに名前を付けて保存されるため、ＰＣ内で画像が散乱することになり管理が困難になる。
【０００５】
また、読み取り画像だけを汎用的なフォーマットで保存すると多くの画像処理アプリケーションで閲覧することが出来るが、読み取った日付・時間・解像度などの情報が失われる。しかしそれらの情報を画像とともに保存すると専用形式となってしまい、専用のアプリケーションでしか閲覧することができなくなる。
【０００６】
そして何枚もの読み取り画像が蓄積された場合、画像と日付との関連が分からなければ目的の画像の検索も非常に大変になる。
【０００７】
【課題を解決するための手段】
原稿を画像読取装置に装置から画像読取手段で読み取り、その画像データをインターフェース手段によりＰＣに送る。ＰＣでは入力手順により画像読取装置から画像などデータを受信する。
前記受信画像からＯＣＲ手順により文字情報と画像の情報とそれらのレイアウト情報を抽出して、そのうち抽出された画像は画像保存手順によりインターネットで流通される汎用的な形式に変換し保存する。そしてテキスト保存手順により、前記ＯＣＲ手順によって抽出された文字情報と、レイアウト情報、前記画像保存手順により保存された画像の場所情報をすべて関連づけたハイパーテキスト形式であるインターネットで流通可能である汎用的な形式で作成し保存する。
【０００８】
これらの画像処理システムにより、ＰＣのＯＳに一般的に附属しているインターネット閲覧ソフトにより原稿を読取った画像を閲覧する事が出来、日付などのデータと画像データ管理付け統一的に管理することが可能になる。また、ＯＣＲ手順によって文字として認識できればただ画像として保存するよりもデータを格納するサイズも小さくなるし、キーワードなどでの検索も用意になる。
【０００９】
【発明の実施の形態】
（実施例）
以下、本発明の一実施例を図面に基づいて詳細に説明する。
図１は本発明の一実施例であり請求項１の画像処理装置として用いているパーソナルコンピュータ（以下ＰＣ）の概略構成を示すブロック図である。
【００１０】
図１において、
１０１  ＣＰＵ
システム制御部である、本画像処理システム全体を制御する。
【００１１】
１０２  ＳＲＡＭ
主に、キャッシュ・メモリとして用いられる。
【００１２】
１０３  ＤＲＡＭ
諸データを格納するための主記憶として用いられる。
【００１３】
１０４  ネットワーク・アダプタ
ネットワークの接続に用いられる。
【００１４】
１０５  グラフィック・コントローラ
画像情報等を制御するために用いられる。
【００１５】
１０６  ディスプレイ
オペレータに所定情報を表示、通知するためのものであり、グラフィック・コントローラ１０５を介してＣＰＵ１０１に接続されている。
【００１６】
１０７  ＩＤＥ（Ｉｎｔｅｇｒａｔｅｄ  Ｄｒｉｖｅ  Ｅｌｅｃｔｒｏｎｉｃｓ）コントローラ
ＩＤＥハード・ディスクを制御するものである。
【００１７】
１０８  ハード・ディスク
アプリケーション・プログラム等を記憶するための記憶装置の一つであり、ＩＤＥコントローラ１０７を介してＣＰＵ１０１に接続されている。
【００１８】
１０９  入出力コントローラ
各入出力装置を制御するものであり、これを介してフロッピー・ディスク・コントローラ１１０、マウス１１１、キーボード１１２、シリアル・インターフェース１１４、パラレル・インターフェース１１３がＣＰＵ１０１に接続される。
【００１９】
１１０  フロッピー・ディスク・コントローラ
外部記憶装置であるフロッピー・ディスクへの書き込みや読み出しを行うためのものである。
【００２０】
１１１  マウス
オペレータが各種入力を操作を行うためのものである。
【００２１】
１１２  キーボード
オペレータが各種入力操作を行うためのものである。
【００２２】
１１３  ＵＳＢ（Ｕｎｉｖｅｒｓａｌ  ｓｅｒｉａｌ  ｂｕｓ）インターフェース
ＵＳＢ形式のパケットデータを外部周辺機器と通信、接続するためのインターフェースである。
【００２３】
本ファクシミリシステムでは、イメージスキャナ（２００）を接続する。
【００２４】
２００  イメージスキャナ
パソコンと接続するインターフェースを持ち、画像を読み取る。
【００２５】
この実施例では画像処理装置にＰＣ（１００）を用いて画像処理システムを実現する。そして画像処理システムは、ハード・ディスク（１０８）に格納されたプログラムを実行することで、本発明に関わる機能を実現している。
【００２６】
本発明の特許請求の範囲で示した、画像読取装置へ読み取りを指示する指示手順、ＰＣ（１００）側のインターフェースで画像読取装置から画像などのデータを入力する入力手順と、受信画像を変換保存する画像保存手順、その画像の情報を関連づけたテキストを保存するテキスト保存手順は本実施例においては、可読記憶媒体であるフロッピーディスク（１１０Ｂ）に格納しており、それをＰＣ（１００）で読み取り諸手順をハードディスク（１０８）に格納し実行することによって実現する。
【００２７】
また画像読取装置としてイメージスキャナ（２００）を用いる。
【００２８】
特許請求の範囲で示した、インターネットで流通可能で汎用的な形式のハイパーテキスト形式は、本実施例ではＨＴＭＬ（Ｈｙｐｅｒ  Ｔｅｘｔ  Ｍａｒｋｕｐ  Ｌａｎｇｕａｇｅ）で、文法「タグ」を用いる。
【００２９】
まず読取指示手順では、ＧＵＩ（図４）によって、利用者の指示によって画像読取手段に原稿の読み取りを開始させる。読取指示手順では利用者が、色数・解像度・読取サイズなどの原稿の読み取りの設定を各タブで（４０１）指定できるようになっており、保存形式のタブ（４０３）で読み取った画像の圧縮保存形式を指定できるが、この際にＨＴＭＬを指定することのよって本発明の手順が実行される。
【００３０】
このＨＴＭＬタブ（４０３）が選択されている際にスキャンのボタン（４０２）をマウスカーソル（４０４）によってクリックすると、読取指示手順からイメージスキャナ（２００）に原稿の読み取りを読取り設定とともに指示する。同様にテキスト保存手順へも読取り設定を渡す。
【００３１】
イメージスキャナ（２００）では原稿（３００）をモーター制御部（２０５）で移動させ、画像読取手段である読取部（２１０）で原稿（３００）全体を読み取る。この際に、モーター制御部（２０５）で読取部（２１０）を移動させてもよい。
【００３２】
読み取った画像は本実施例ではイメージスキャナ内のＤＲＡＭ（２０３）に画像データの一部か全部を保存してインターフェース手段であるＵＳＢ・インターフェース（２０４）からＰＣ（１００）へ送られるが、ＤＲＡＭ（２０３）を持たずに逐次転送してもかまわない。
【００３３】
イメージスキャナ（２００）からの画像やその他読取設定などをＰＣ（１００）へ転送する際に、ＰＣ（１００）側では入力手順により画像やその他のデータを入力する。
【００３４】
読み取った画像全体を画像保存手順（図５）によって、画像読み取り時の日時を取得（Ｓ５０１）、ファイル名を年月日、時間から他のスキャン結果と重ならない名前にし、画像フォーマットに応じた拡張子から作成する（Ｓ５０２）にする。読み取り画像をインターネットで流通可能な汎用的な形式で圧縮・変換する（Ｓ５０３）。前記ファイル名で保存する（Ｓ５０４）。そのファイルの保存場所とファイル名をテキスト保存手順へ通知する（Ｓ５０５）。
【００３５】
テキスト保存手順（図６）ではまず、今回初めてスキャンするかどうか、過去のスキャン結果一覧のＨＴＭＬ形式のファイルの有無によって調べる（Ｓ６０１）。無い場合はあらたに（図７）（７０１）の部分ような雛形を作成する。そして、そのファイル最後のタグの手前（７０２）を検索する（Ｓ６０３）、そこに読取指示手順、入力手順、画像保存手順から受け取った保存場所、現在の日付、時間、読み取りの色数、解像度、読み取りサイズなどの関連情報から、ＨＴＭＬ形式で作成し（７０３）追加する（Ｓ６０５）
【００３６】
【発明の効果】
これらの画像処理システムにより、原稿を読み取った画像を専用のアプリケーションを必要とせずほとんどのインターネット閲覧アプリケーションで閲覧する事が出来る。また、インターネット閲覧アプリケーションはＨＴＭＬの文法に互換性があるので閲覧アプリケーションを選ばない。また、インターネット閲覧ソフトはほとんどのＯＳに用意されておりＰＣの機種・ＯＳを選ばない。また、近年のＯＳでははじめから添付されていることも多いのでソフトウェアを新規にインストールする手間も必要ない。また、日付などのデータと画像データを関係付け、統一的に管理することが可能になる。また、ＯＣＲ手順によって文字として認識していれば、ただ画像として保存するよりもデータを格納するサイズも小さくなる。また、ＯＣＲ手順によって文字として認識していれば、膨大になってしまいがちな読取画像から、キーワードなどでの検索も容易になる。
【図面の簡単な説明】
【図１】本発明の実施形態におけるＰＣの構成を示すブロック図。
【図２】本発明の実施形態におけるイメージスキャナの構成を示すブロック図。
【図３】パーソナルコンピュータ（１００）及び画像読取装置（２００）を有するシステムの外観を示す図。
【図４】読取指示手順の表示形態を示す図。
【図５】画像保存手順の処理のフロー図。
【図６】テキスト保存手順の処理のフロー図。
【図７】テキスト保存手順の出力データを示すＨＴＭＬ文書の一例を示す図。
【符号の説明】
図１において
１０１  ＣＰＵ
１０２  ＳＲＡＭ
１０３  ＤＲＡＭ
１０４  ネットワーク・アダプタ
１０５  グラフィック・コントローラ
１０６  ディスプレイ
１０７  ＩＤＥ（Ｉｎｔｅｇｒａｔｅｄ  Ｄｒｉｖｅ  Ｅｌｅｃｔｒｏｎｉｃｓ）コントローラ
１０８  ハード・ディスク
１０９  入出力コントローラ
１１０  フロッピー・ディスク・コントローラ
１１１  マウス
１１２  キーボード
１１３  ＵＳＢ・インターフェース
２００  イメージスキャナ
図２において
２００  イメージスキャナ
２０１  ＣＰＵ
２０２  ＲＯＭ
２０３  ＤＲＡＭ
２０４  ＵＳＢ・インターフェース
２０５  モーター制御部
２０６  ロータリーエンコーダ
２０７  Ａ／Ｄ変換回路部
２０８  アナログ出力増幅回路部
２０９  ＣＣＤラインセンサ
図３において
１００  パーソナルコンピュータ（ＰＣ）
１１０Ａ  フロッピーディスクドライブ（ＦＤＤ）
１１０Ｂ  フロッピー・ディスク（ＦＤ）
２００  イメージスキャナ
３００  原稿
【図１】
2004171178.tif 000003
【図２】
2004171178.tif 000004
【図３】
2004171178.tif 000005
【図４】
2004171178.tif 000006
【図５】
2004171178.tif 000007
【図６】
2004171178.tif 000008
【図７】
2004171178.tif 000009